(57)【要約】【課題】  複数のディスプレイを備える電子機器において、ディスプレイで生じる消費電力を低減させること。【解決手段】  表示制御装置は、第１ディスプレイにマウスポインタが表示されていない状態が第１所定時間以上継続しているか否かを判断する判断手段と、第１ディスプレイにマウスポインタが表示されていない状態が第１所定時間以上継続している場合に、第１ディスプレイを通常状態から低消費電力状態に移行させる状態移行手段と、第１ディスプレイが低消費電力状態である際に第１ディスプレイにマウスポインタが表示される場合、第１ディスプレイを低消費電力状態から通常状態に復帰させる状態復帰手段とを備える。【選択図】図４
2011154209.tif 000002
【特許請求の範囲】
【請求項１】
動作状態として通常状態および低消費電力状態を有する第１ディスプレイ及び第２ディスプレイのいずれか一方に、ユーザ操作によって移動可能なポインタを表示させる表示制御装置であって、
前記判断手段が、前記第１ディスプレイに前記ポインタが表示されていない状態が第１所定時間以上継続しているか否かを判断する判断手段と、
前記第１ディスプレイに前記ポインタが表示されていない状態が第１所定時間以上継続している場合に、前記第１ディスプレイを通常状態から低消費電力状態に移行させる状態移行手段と、
前記第１ディスプレイが低消費電力状態である際に前記第１ディスプレイに前記ポインタが表示される場合、前記第１ディスプレイを低消費電力状態から通常状態に復帰させる状態復帰手段とを備える、表示制御装置。
【請求項２】
前記通常状態が、ディスプレイの照度が第１照度である状態であり、前記低消費電力状態が、ディスプレイの照度が前記第１照度よりも低い第２照度である状態であり、
前記状態移行手段が、前記第１ディスプレイに前記ポインタが表示されていない状態が前記第１所定時間以上継続している場合に、前記第１ディスプレイの照度を前記第１照度から前記第２照度に変更させる照度変更手段を含み、
前記状態復帰手段が、前記第１ディスプレイが前記第２照度である際に前記第１ディスプレイに前記ポインタが表示される場合、前記第１ディスプレイの照度を前記第２照度から前記第１照度に復帰させる照度復帰手段を含む、請求項１に記載の表示制御装置。
【請求項３】
前記状態移行手段が、前記第１ディスプレイの照度を前記第１照度から前記第２照度に変更させた後、ユーザ操作が第２所定時間以上継続して実行されない場合に、前記第１ディスプレイを前記低消費電力状態よりも消費電力をさらに低減させた第２低消費電力状態に移行させる手段をさらに含む、請求項２に記載の表示制御装置。
【請求項４】
前記状態移行手段が、前記第１ディスプレイの照度を前記第１照度から前記第２照度に変更させた後、前記第１ディスプレイに前記ポインタが表示されていない状態が第２所定時間以上継続している場合に、前記第１ディスプレイを前記低消費電力状態よりも消費電力をさらに低減させた第２低消費電力状態に移行させる手段をさらに含む、請求項２に記載の表示制御装置。
【請求項５】
動作状態として通常状態および低消費電力状態を有する第１ディスプレイ及び第２ディスプレイのいずれか一方に、ユーザ操作によって移動可能なポインタを表示させる表示制御装置であって、
前記第１ディスプレイに前記ポインタが表示されているか否かを判断する判断手段と、
前記第１ディスプレイに前記ポインタが表示されていない場合に、前記第１ディスプレイを通常状態から低消費電力状態に移行させる状態移行手段と、
前記第１ディスプレイが低消費電力状態である際に前記第１ディスプレイに前記ポインタが表示される場合、前記第１ディスプレイを低消費電力状態から通常状態に復帰させる状態復帰手段とを備える、表示制御装置。
【請求項６】
前記判断手段が、前記第２ディスプレイに前記ポインタが表示されているか否かをさらに判断し、
前記状態移行手段が、前記第２ディスプレイに前記ポインタが表示されていない場合に、前記第２ディスプレイを通常状態から低消費電力状態に移行させ、
前記状態復帰手段が、前記第２ディスプレイが低消費電力状態である際に前記第２ディスプレイに前記ポインタが表示される場合、前記第２ディスプレイを低消費電力状態から通常状態に復帰させる、請求項５に記載の表示制御装置。
【請求項７】
請求項１〜６のいずれかに記載の表示制御装置の各手段をコンピュータに実行させる、表示制御プログラム。
【発明の詳細な説明】
【技術分野】
【０００１】
本発明は、動作状態として通常状態および低消費電力状態を有する第１ディスプレイ及び第２ディスプレイのいずれか一方に、ユーザ操作によって移動可能なポインタを表示させる表示制御装置に関する。
【背景技術】
【０００２】
２つのディスプレイを備えるパーソナルコンピュータ（以下、ＰＣという。）が提案されており、２つのディスプレイにはそれぞれ異なる画像データを表示することができる。このようなＰＣは２つのディスプレイを備えるので、１つのディスプレイのみを備える場合と比較して、２倍の画像データを表示することができるが、ディスプレイで生じる消費電力が倍増するという問題がある。消費電力を低減するために、一般的には、所定時間以上継続してユーザ操作が実行されなければ、２つのディスプレイのバックライトの照度を低下させる（または、２つのディスプレイのバックライトを消灯させる）ことが行われている。しかし、所定時間以上継続してユーザ操作が実行されないことが検出されるまでの間は、２つのディスプレイのバックライトの照度は通常の照度を維持するので、消費電力を低減することができない。
【先行技術文献】
【特許文献】
【０００３】
【特許文献１】特開平９−３０５２６２号公報
【発明の概要】
【発明が解決しようとする課題】
【０００４】
本発明は上記従来の課題を解決するためになされたものであり、その目的は、複数のディスプレイを備える電子機器において、ディスプレイで生じる消費電力を低減させることができる表示制御装置を提供することである。
【課題を解決するための手段】
【０００５】
本発明の好ましい実施形態による表示制御装置は、動作状態として通常状態および低消費電力状態を有する第１ディスプレイ及び第２ディスプレイのいずれか一方に、ユーザ操作によって移動可能なポインタを表示させる表示制御装置であって、前記第１ディスプレイに前記ポインタが表示されていない状態が第１所定時間以上継続しているか否かを判断する判断手段と、前記第１ディスプレイに前記ポインタが表示されていない状態が第１所定時間以上継続している場合に、前記第１ディスプレイを通常状態から低消費電力状態に移行させる状態移行手段と、前記第１ディスプレイが低消費電力状態である際に前記第１ディスプレイに前記ポインタが表示される場合、前記第１ディスプレイを低消費電力状態から通常状態に復帰させる状態復帰手段とを備える。
【０００６】
第１ディスプレイにポインタが表示されていない（つまり、第２ディスプレイにポインタが表示されている）場合、第１ディスプレイを通常状態から低消費電力状態に移行させることにより、第１ディスプレイで生じる消費電力を低減することができる。第１ディスプレイにポインタが表示されていない場合には、ユーザは第１ディスプレイを主ディスプレイとして使用しておらず、第２ディスプレイを主ディスプレイとして使用していると考えられ、第１ディスプレイを注視していないと考えられるので、第１ディスプレイを低消費電力状態に移行させても、ユーザに不快感を与えることはない。また、第１ディスプレイにポインタが表示されていない状態が第１所定時間継続して初めて第１ディスプレイを低消費電力状態に移行させることにより、ポインタが第１ディスプレイと第２ディスプレイとの間を短時間で往復する場合に、第１ディスプレイが頻繁に通常状態と低消費電力状態との間で状態が変更されてしまうことを防止できる。
【０００７】
好ましい実施形態においては、前記通常状態が、ディスプレイの照度が第１照度である状態であり、前記低消費電力状態が、ディスプレイの照度が前記第１照度よりも低い第２照度である状態であり、前記状態移行手段が、前記第１ディスプレイに前記ポインタが表示されていない状態が前記第１所定時間以上継続している場合に、前記第１ディスプレイの照度を前記第１照度から前記第２照度に変更させる照度変更手段を含み、前記状態復帰手段が、前記第１ディスプレイが前記第２照度である際に前記第１ディスプレイに前記ポインタが表示される場合、前記第１ディスプレイの照度を前記第２照度から前記第１照度に復帰させる照度復帰手段を含む。
【０００８】
第１ディスプレイにポインタが表示されていない（つまり、第２ディスプレイにポインタが表示されている）場合、第１ディスプレイの照度を低下させることにより、第１ディスプレイで生じる消費電力を低減することができる。第１ディスプレイにポインタが表示されていない場合には、ユーザは第１ディスプレイを主ディスプレイとして使用しておらず、第２ディスプレイを主ディスプレイとして使用していると考えられ、第１ディスプレイを注視していないと考えられるので、第１ディスプレイの照度を低下させても、ユーザに不快感を与えることはない。
【０００９】
好ましい実施形態においては、前記状態移行手段が、前記第１ディスプレイの照度を前記第１照度から前記第２照度に変更させた後、ユーザ操作が第２所定時間以上継続して実行されない場合に、前記第１ディスプレイを前記低消費電力状態よりも消費電力をさらに低減させた第２低消費電力状態に移行させる手段をさらに含む。
【００１０】
この場合、第１ディスプレイで生じる消費電力をさらに低減することができる。
【００１１】
好ましい実施形態においては、前記状態移行手段が、前記第１ディスプレイの照度を前記第１照度から前記第２照度に変更させた後、前記第１ディスプレイに前記ポインタが表示されていない状態が第２所定時間以上継続している場合に、前記第１ディスプレイを前記低消費電力状態よりも消費電力をさらに低減させた第２低消費電力状態に移行させる手段をさらに含む。
【００１２】
本発明の別の好ましい実施形態による表示制御装置は、動作状態として通常状態および低消費電力状態を有する第１ディスプレイ及び第２ディスプレイのいずれか一方に、ユーザ操作によって移動可能なポインタを表示させる表示制御装置であって、前記第１ディスプレイに前記ポインタが表示されているか否かを判断する判断手段と、前記第１ディスプレイに前記ポインタが表示されていない場合に、前記第１ディスプレイを通常状態から低消費電力状態に移行させる状態移行手段と、前記第１ディスプレイが低消費電力状態である際に前記第１ディスプレイに前記ポインタが表示される場合、前記第１ディスプレイを低消費電力状態から通常状態に復帰させる状態復帰手段とを備える。
【００１３】
好ましい実施形態においては、前記判断手段が、前記第２ディスプレイに前記ポインタが表示されているか否かをさらに判断し、前記状態移行手段が、前記第２ディスプレイに前記ポインタが表示されていない場合に、前記第２ディスプレイを通常状態から低消費電力状態に移行させ、前記状態復帰手段が、前記第２ディスプレイが低消費電力状態である際に前記第２ディスプレイに前記ポインタが表示される場合、前記第２ディスプレイを低消費電力状態から通常状態に復帰させる。
【００１４】
第１ディスプレイにポインタが表示されていない（つまり、第２ディスプレイにポインタが表示されている）場合、第１ディスプレイを通常状態から低消費電力状態に移行させることにより、第１ディスプレイで生じる消費電力を低減することができる。第１ディスプレイにポインタが表示されていない場合には、ユーザは第１ディスプレイを主ディスプレイとして使用しておらず、第２ディスプレイを主ディスプレイとして使用していると考えられ、第１ディスプレイを注視していないと考えられるので、第１ディスプレイを低消費電力状態に移行させても、ユーザに不快感を与えることはない。同様に、第２ディスプレイにポインタが表示されていない（つまり、第１ディスプレイにポインタが表示されている）場合、第２ディスプレイを通常状態から低消費電力状態に移行させることにより、第２ディスプレイで生じる消費電力を低減することができる。第２ディスプレイにポインタが表示されていない場合には、ユーザは第２ディスプレイを主ディスプレイとして使用しておらず、第１ディスプレイを主ディスプレイとして使用していると考えられ、第２ディスプレイを注視していないと考えられるので、第２ディスプレイを低消費電力状態に移行させても、ユーザに不快感を与えることはない。
【００１５】
本発明の別の局面においては、上記表示制御装置の各手段をコンピュータに実行させる表示制御プログラムが提供され得る。
【発明の効果】
【００１６】
複数のディスプレイを備える電子機器において、ディスプレイで生じる消費電力を低減させることができる表示制御装置を提供することができる。
【図面の簡単な説明】
【００１７】
【図１】ＰＣ１００の構成を示すブロック図である。
【図２】ＰＣ１００の構成を示す外観図である。
【図３】ＰＣ１００の構成を示す外観図である。
【図４】ＣＰＵ２の処理を示すフローチャートである。
【図５】ＣＰＵ２の処理を示すフローチャートである。
【図６】ＣＰＵ２の処理を示すフローチャートである。
【図７】ＣＰＵ２の処理を示すフローチャートである。
【発明を実施するための形態】
【００１８】
以下、本発明の好ましい実施形態による電子機器の一例であるパーソナルコンピュータ（以下、ＰＣという。）１００について説明する。図１は、ＰＣ１００の構成を示す概略ブロック図である。ＰＣ１００は、ＣＰＵ２と、メモリ３（ＲＯＭ、ＲＡＭ、フラッシュメモリ等）と、ブリッジ４と、ＨＤＤ５と、マウス６と、キーボード７と、ビデオバッファ８と、映像出力部９Ａ，９Ｂと、第１ディスプレイ１０Ａと、第２ディスプレイ１０Ｂとを備える。
【００１９】
図２および図３は、ＰＣ１００の外観図である。図２においては、第１ディスプレイ１０Ａおよび第２ディスプレイ１０Ｂが重なり合った状態を示し、第１ディスプレイ１０Ａのみが画像データを表示可能である。図３においては、第１ディスプレイ１０Ａおよび第２ディスプレイ１０Ｂが図２の状態から左右方向に引き出された状態を示し、第１ディスプレイ１０Ａおよび第２ディスプレイ１０は共に画像データを表示可能である。なお、これに限定されず、常に第１ディスプレイ１０Ａおよび第２ディスプレイ１０Ｂが画像データを表示可能でもよい。本例では、図３に示すような第１ディスプレイ１０Ａおよび第２ディスプレイ１０Ｂが共に画像データを表示可能な状態において、マウスポインタが存在する方のディスプレイを通常状態に、マウスポインタが存在しない方のディスプレイを低消費電力状態に移行させることにより、ＰＣ１００の消費電力を低減する。
【００２０】
図１に戻って、ＣＰＵ２は、ＨＤＤ５にインストールされているＯＳ（オペレーティングシステム）やアプリケーションプログラムを実行し、ＰＣ１００の各部を制御する。ＣＰＵ２は、ＯＳやアプリケーションプログラムの画面データである画像データをＨＤＤ５から読み出し、ビデオバッファ８に格納する。ＣＰＵ２は、ビデオバッファ８内で、第１ディスプレイ１０Ａ用の画像データを生成し、画像出力部９Ａを介して第１ディスプレイ１０Ａに供給する。また、ＣＰＵ２は、ビデオバッファ８内で、第２ディスプレイ１０Ｂ用の画像データを生成し、画像出力部９Ｂを介して第２ディスプレイ１０Ｂに供給する。第１ディスプレイ１０Ａおよび第２ディスプレイ１０Ｂに表示される画像データは、それぞれ異なっている。ＣＰＵ２は、マウス６やキーボード７を介したユーザ操作を受けて、マウスポインタ（又はカーソル）を第１ディスプレイ１０Ａおよび第２ディスプレイ１０Ｂのいずれか一方に表示させる。つまり、ＣＰＵ２は、マウスポインタを第１ディスプレイ１０Ａ用の画像データおよび第２ディスプレイ１０Ｂ用の画像データのいずれか一方に合成する。
【００２１】
第１ディスプレイ１０Ａは、画像入力部１１Ａと、液晶パネル１２Ａと、バックライト制御部１３Ａと、バックライト１４Ａとを含む。画像入力部１１Ａは、映像出力部９Ａから第１ディスプレイ１０Ａ用の画像データが入力される。液晶パネル１２Ａは、第１ディスプレイ１０Ａ用の画像データを表示する。バックライト制御部１３Ａは、ＣＰＵ２からの指示に応じてバックライト１４Ａの点灯および消灯を制御し、かつ、バックライト１４Ａの照度を制御する。バックライト１４Ａは、液晶パネル１２Ａを後ろ側から明るくする照明である。
【００２２】
第２ディスプレイ１０Ｂは、画像入力部１１Ｂと、液晶パネル１２Ｂと、バックライト制御部１３Ｂと、バックライト１４Ｂとを含む。画像入力部１１Ｂは、映像出力部９Ｂから第１ディスプレイ１０Ｂ用の画像データが入力される。液晶パネル１２Ｂは、第１ディスプレイ１０Ｂ用の画像データを表示する。バックライト制御部１３Ｂは、ＣＰＵ２からの指示に応じてバックライト１４Ｂの点灯および消灯を制御し、かつ、バックライト１４Ｂの照度を制御する。バックライト１４Ｂは、液晶パネル１２Ｂを後ろ側から明るくする照明である。
【００２３】
第１ディスプレイ１０Ａおよび第２ディスプレイ１０Ｂは、その動作状態として通常状態と、通常状態よりも消費電力を低減させた低消費電力状態とを有する。例えば、通常状態は、ディスプレイのバックライトの照度が通常の照度（ユーザ操作によって設定された照度）である第１照度である状態であり、低消費電力状態は、ディスプレイのバックライトの照度が第１照度よりも照度が低い第２照度である状態である。従って、第１ディスプレイ１０Ａまたは第２ディスプレイ１０Ｂのバックライトの照度が第１照度から第２照度に変更されることにより、ディスプレイの消費電力を低減することができる。
【００２４】
ＣＰＵ２は、マウスポインタが第１ディスプレイ１０Ａに表示されていない（つまり、マウスポインタが第２ディスプレイ１０Ｂに表示されている）場合に、第１ディスプレイ１０Ａのバックライト１４Ａの照度を第１照度から第２照度に変更させる。また、第１ディスプレイ１０Ａのバックライト１４Ａの照度が第２照度である際にマウスポインタが第１ディスプレイ１０Ａに表示される場合、第１ディスプレイ１０Ａのバックライト１４Ａの照度を第２照度から第１照度に復帰させる。従って、第１ディスプレイ１０Ａの消費電力を低減することができる。マウスポインタが第１ディスプレイ１０Ａに表示されていない場合、第１ディスプレイ１０Ａは主ディスプレイとして使用されておらず、ユーザが注視する可能性が低いと考えられるので、第１ディスプレイ１０Ａの照度を低下させても、ユーザに不快感を与えないからである。
【００２５】
好ましくは、ＣＰＵ２は、マウスポインタが第１ディスプレイ１０Ａに表示されていない（つまり、マウスポインタが第２ディスプレイ１０Ｂに表示されている）状態が所定時間以上継続した場合に初めて、第１ディスプレイ１０Ａのバックライト１４Ａの照度を第１照度から第２照度に変更させる。これにより、マウスポインタが第１ディスプレイ１０Ａと第２ディスプレイ１０Ｂとの間を短時間で往復する場合に、頻繁に第１ディスプレイ１０Ａの照度が第１照度と第２照度との間で変更されることがなく、ユーザに不快感を与えることを防止できる。
【００２６】
ＣＰＵ２は、マウスポインタが第２ディスプレイ１０Ｂに表示されていない（つまり、マウスポインタが第１ディスプレイ１０Ａに表示されている）場合に、第２ディスプレイ１０Ｂのバックライト１４Ｂの照度を第１照度から第２照度に変更させる。また、第２ディスプレイ１０Ｂのバックライト１４Ｂの照度が第２照度である際にマウスポインタが第２ディスプレイ１０Ｂに表示される場合、第２ディスプレイ１０Ｂのバックライト１４Ｂの照度を第２照度から第１照度に復帰させる。従って、第２ディスプレイ１０Ａの消費電力を低減することができる。マウスポインタが第２ディスプレイ１０Ｂに表示されていない場合、第２ディスプレイ１０Ｂは主ディスプレイとして使用されておらず、ユーザが注視する可能性が低いと考えられるので、第２ディスプレイ１０Ｂの照度を低下させても、ユーザに不快感を与えないからである。
【００２７】
好ましくは、ＣＰＵ２は、マウスポインタが第２ディスプレイ１０Ｂに表示されていない（つまり、マウスポインタが第１ディスプレイ１０Ａに表示されている）状態が所定時間以上継続した場合に初めて、第２ディスプレイ１０Ｂのバックライト１４Ｂの照度を第１照度から第２照度に変更させる。これにより、マウスポインタが第１ディスプレイ１０Ａと第２ディスプレイ１０Ｂとの間を短時間で往復する場合に、頻繁に第２ディスプレイ１０Ｂの照度が第１照度と第２照度との間で変更されることがなく、ユーザに不快感を与えることを防止できる。
【００２８】
以上の構成を有するＰＣ１００についてその動作を説明する。なお、以下では、第１ディスプレイ１０Ａの照度を第１照度又は第２照度に変更する処理についてのみ説明するが、第２ディスプレイ１０Ｂについても同様の処理が第１ディスプレイ１０Ａの処理と並列して実行される。
【００２９】
図４は、ＣＰＵ２の処理を示すフローチャートである。ＣＰＵ２は、マウスポインタが第１ディスプレイ１０Ａに表示されていないかを判断する（Ｓ１）。つまり、第１ディスプレイ１０Ａ用の画像データにマウスポインタが合成されていないか否かが判断される。マウスポインタが第１ディスプレイ１０Ａに表示されていない場合（Ｓ１でＹＥＳ）、ＣＰＵ２は、第１ディスプレイ１０Ａのバックライト１４Ａの照度が第１照度であるか否かを判断する（Ｓ２）。既に第２照度になっている場合には（Ｓ２でＮＯ）、Ｓ１に戻る。一方、第１照度である場合（Ｓ２でＹＥＳ）、ＣＰＵ２は、第１タイマーのカウントを開始する（Ｓ３）。第１タイマーは、特に限定されないがＣＰＵ２が内蔵するタイマーであり、マウスポインタが第１ディスプレイ１０Ａに表示されていない時間をカウントする。
【００３０】
ＣＰＵ２は、第１タイマーのカウントが所定時間Ａを経過したか否かを判断する（Ｓ４）。未だ第１タイマーのカウントが所定時間Ａを経過していない場合（Ｓ４でＮＯ）、Ｓ１に戻る。これにより、マウスポインタが第１ディスプレイ１０Ａに表示されていない状態が継続されることにより、Ｓ１〜Ｓ４の処理が繰り返し実行され、第１タイマーのカウントが継続される。
【００３１】
第１タイマーのカウントが所定時間Ａを経過すると（Ｓ４でＹＥＳ）、ＣＰＵ２は、第１ディスプレイ１０Ａのバックライト１４Ａの照度を、第１照度から第２照度に変更させる（Ｓ５）。つまり、ＣＰＵ２は、バックライト制御部１３Ａに、バックライト１４Ａの照度を第２照度に変更する指示を送信する。バックライト制御部１３Ａは、ＣＰＵ２からの指示に応答し、バックライト１４Ａの照度を第２照度に変更する。また、ＣＰＵ２は、第１タイマーのカウントを終了し、カウントをクリアする。以上のように、第１ディスプレイ１０Ａにマウスポインタが表示されていない状態が所定時間Ａ以上継続した場合に、第１ディスプレイ１０Ａの照度を第２照度に低下させ、消費電力を低減させる。
【００３２】
一方、Ｓ１において、マウスポインタが第１ディスプレイ１０Ａに表示されると判断されると（Ｓ１でＮＯ）、ＣＰＵ２は、第１タイマーをカウント中であるか否かを判断する（Ｓ６）。第１タイマーをカウント中でなければ（Ｓ６でＮＯ）、Ｓ８に進む。一方、第１タイマーをカウント中であれば（Ｓ６でＹＥＳ）、ＣＰＵ２は、第１タイマーのカウントを終了し、カウントをクリアする（Ｓ７）。
【００３３】
続いて、ＣＰＵ２は、第１ディスプレイ１０Ａのバックライト１４Ａの照度が第２照度であるか否かを判断する（Ｓ８）。第２照度でなければ（Ｓ８でＮＯ）、Ｓ１に戻る。一方、第２照度であれば（Ｓ８でＹＥＳ）、ＣＰＵ２は、第１ディスプレイ１０Ａのバックライト１４Ａの照度を、第２照度から第１照度に復帰させる（Ｓ９）。つまり、ＣＰＵ２は、バックライト制御部１３Ａに、バックライト１４Ａの照度を第１照度に復帰させる指示を送信する。バックライト制御部１３Ａは、ＣＰＵ２からの指示に応答し、バックライト１４Ａの照度を第１照度に復帰させる。以上のように、第１ディスプレイ１０Ａにマウスポインタが表示されていない状態が所定時間Ａ以上継続した場合に、第１ディスプレイ１０Ａの照度を第２照度に変更させた後、マウスポインタが第１ディスプレイ１０Ａに表示されると、第１ディスプレイ１０Ａの照度を第１照度に復帰させることができる。
【００３４】
次に本発明の別の好ましい実施形態を説明する。図５は、本例のＣＰＵ２の処理を示すフローチャートである。本例では、マウスポインタが第１ディスプレイ１０Ａに表示されていない状態が所定時間Ａ以上継続した場合に第１ディスプレイ１０Ａの照度を第２照度に変更させた後、さらに、所定時間Ｂ以上ユーザ操作が実行されない場合に、第１ディスプレイ１０Ａを低消費電力状態よりもさらに消費電力を低減させた第２低消費電力状態に移行させる。本例では、第２低消費電力状態は、第１ディスプレイ１０Ａのバックライト１４Ａを消灯させる状態（第１ディスプレイ１０Ａの非表示状態）である。
【００３５】
ＣＰＵ２は、マウスポインタが第１ディスプレイ１０Ａに表示されていないかを判断する（Ｓ１１）。つまり、第１ディスプレイ１０Ａ用の画像データにマウスポインタが合成されていないか否かが判断される。マウスポインタが第１ディスプレイ１０Ａに表示されていない場合（Ｓ１１でＹＥＳ）、ＣＰＵ２は、第１ディスプレイ１０Ａのバックライト１４Ａの照度が第１照度であるか否かを判断する（Ｓ１２）。既に第２照度になっている場合には（Ｓ１２でＮＯ）、Ｓ１６に進む。一方、第１照度である場合（Ｓ１２でＹＥＳ）、ＣＰＵ２は、第１タイマーのカウントを開始する（Ｓ１３）。第１タイマーは、特に限定されないがＣＰＵ２が内蔵するタイマーであり、マウスポインタが第１ディスプレイ１０Ａに表示されていない時間をカウントする。
【００３６】
ＣＰＵ２は、第１タイマーのカウントが所定時間Ａを経過したか否かを判断する（Ｓ１４）。未だ第１タイマーのカウントが所定時間Ａを経過していない場合（Ｓ１４でＮＯ）、Ｓ１１に戻る。これにより、マウスポインタが第１ディスプレイ１０Ａに表示されていない状態が継続されることにより、Ｓ１１〜Ｓ１４の処理が繰り返し実行され、第１タイマーのカウントが継続される。
【００３７】
第１タイマーのカウントが所定時間Ａを経過すると（Ｓ１４でＹＥＳ）、ＣＰＵ２は、第１ディスプレイ１０Ａのバックライト１４Ａの照度を、第１照度から第２照度に変更させる（Ｓ１５）。つまり、ＣＰＵ２は、バックライト制御部１３Ａに、バックライト１４Ａの照度を第２照度に変更させる指示を送信する。バックライト制御部１３Ａは、ＣＰＵ２からの指示に応答し、バックライト１４Ａの照度を第２照度に変更させる。また、ＣＰＵ２は、第１タイマーのカウントを終了し、カウントをクリアする。以上のように、第１ディスプレイ１０Ａにマウスポインタが表示されていない状態が所定時間Ａ以上継続した場合に、第１ディスプレイ１０Ａの照度を第２照度に変更させ、消費電力を低減させる。
【００３８】
続いて、Ｓ１６において、ＣＰＵ２は、ユーザ操作（マウス６やキーボード７等の操作）が実行されていないか否かを判断する。ユーザ操作が実行されていない場合（Ｓ１６でＹＥＳ）、ＣＰＵ２は、第１ディスプレイ１０Ａのバックライト１４Ａは点灯中であるか否かを判断する（Ｓ１７）。第１ディスプレイ１０Ａのバックライト１４Ａが既に消灯している場合（Ｓ１７でＮＯ）、Ｓ１１に戻る。
【００３９】
一方、第１ディスプレイ１０Ａのバックライト１４Ａが点灯している場合（Ｓ１７でＹＥＳ）、ＣＰＵ２は、第２タイマーのカウントを開始する（Ｓ１８）。第２タイマーは、特に限定されないがＣＰＵ２が内蔵するタイマーであり、ユーザ操作が実行されていない時間をカウントする。
【００４０】
ＣＰＵ２は、第２タイマーのカウントが所定時間Ｂを経過したか否かを判断する（Ｓ１９）。未だ第２タイマーのカウントが所定時間Ｂを経過していない場合（Ｓ１９でＮＯ）、Ｓ１１に戻る。これにより、ユーザ操作が実行されない状態が継続される（当然、マウスポインタが第１ディスプレイ１０Ａに表示されていない状態も継続される）ことにより、Ｓ１６〜Ｓ１９の処理が繰り返し実行され、第２タイマーのカウントが継続される。
【００４１】
第２タイマーのカウントが所定時間Ｂを経過すると（Ｓ１９でＹＥＳ）、ＣＰＵ２は、第１ディスプレイ１０Ａのバックライト１４Ａを消灯させる（Ｓ２０）。つまり、ＣＰＵ２は、バックライト制御部１３Ａに、バックライト１４Ａを消灯させる指示を送信する。バックライト制御部１３Ａは、ＣＰＵ２からの指示に応答し、バックライト１４Ａを消灯させる。また、ＣＰＵ２は、第２タイマーのカウントを終了し、カウントをクリアする。以上のように、第１ディスプレイ１０Ａの照度が第２照度に変更された後、ユーザ操作が実行されない状態が所定時間Ｂ以上継続した場合に、第１ディスプレイ１０Ａのバックライト１４Ａを消灯させることにより、消費電力をさらに低減させる。
【００４２】
Ｓ１１において、マウスポインタが第１ディスプレイ１０Ａに表示されると判断されると（Ｓ１１でＮＯ）、ＣＰＵ２は、第１タイマーまたは第２タイマーをカウント中であるか否かを判断する（Ｓ２１）。第１タイマーおよび第２タイマーをカウント中でなければ（Ｓ２１でＮＯ）、Ｓ２３に進む。一方、第１タイマーまたは第２タイマーをカウント中であれば（Ｓ２１でＹＥＳ）、ＣＰＵ２は、第１タイマーまたは第２タイマーのカウントを終了し、カウントをクリアする（Ｓ２２）。
【００４３】
続いて、ＣＰＵ２は、第１ディスプレイ１０Ａのバックライト１４Ａが消灯中であるか否かを判断する（Ｓ２３）。点灯中であれば（Ｓ２３でＮＯ）、Ｓ２５に進む。一方、消灯中であれば（Ｓ２３でＹＥＳ）、ＣＰＵ２は、第１ディスプレイ１０Ａのバックライト１４Ａを点灯させる（Ｓ２４）。つまり、ＣＰＵ２は、バックライト制御部１３Ａに、バックライト１４Ａを点灯させる指示を送信する。バックライト制御部１３Ａは、ＣＰＵ２からの指示に応答し、バックライト１４Ａを点灯させる。以上のように、第１ディスプレイ１０Ａのバックライト１４Ａを消灯させた後、マウスポインタが第１ディスプレイ１０Ａに表示されると、第１ディスプレイ１０Ａのバックライト１４Ａを点灯させることができる。
【００４４】
続いて、ＣＰＵ２は、第１ディスプレイ１０Ａのバックライト１４Ａの照度が第２照度であるか否かを判断する（Ｓ２５）。第２照度でなければ（Ｓ２５でＮＯ）、Ｓ１１に戻る。一方、第２照度であれば（Ｓ２５でＹＥＳ）、ＣＰＵ２は、第１ディスプレイ１０Ａのバックライト１４Ａの照度を、第１照度に復帰させる（Ｓ２６）。つまり、ＣＰＵ２は、バックライト制御部１３Ａに、バックライト１４Ａの照度を第１照度に復帰させる指示を送信する。バックライト制御部１３Ａは、ＣＰＵ２からの指示に応答し、バックライト１４Ａの照度を第１照度に復帰させる。以上のように、第１ディスプレイ１０Ａの照度を第２照度に変更させた後、マウスポインタが第１ディスプレイ１０Ａに表示されると、第１ディスプレイ１０Ａの照度を第１照度に復帰させることができる。
【００４５】
Ｓ１６において、ユーザ操作が実行されたと判断されると（Ｓ１６でＮＯ）、ＣＰＵ２は、第２タイマーをカウント中であるか否かを判断する（Ｓ２７）。第２タイマーをカウント中でなければ（Ｓ２７でＮＯ）、Ｓ２９に進む。一方、第２タイマーをカウント中であれば（Ｓ２７でＹＥＳ）、ＣＰＵ２は、第２タイマーのカウントを終了し、カウントをクリアする（Ｓ２８）。
【００４６】
続いて、ＣＰＵ２は、第１ディスプレイ１０Ａのバックライト１４Ａが消灯中であるか否かを判断する（Ｓ２９）。点灯中であれば（Ｓ２９でＮＯ）、Ｓ１１に戻る。一方、消灯中であれば（Ｓ２９でＹＥＳ）、ＣＰＵ２は、第１ディスプレイ１０Ａのバックライト１４Ａを点灯させる（Ｓ３０）。つまり、ＣＰＵ２は、バックライト制御部１３Ａに、バックライト１４Ａを点灯させる指示を送信する。バックライト制御部１３Ａは、ＣＰＵ２からの指示に応答し、バックライト１４Ａを点灯させる。以上のように、第１ディスプレイ１０Ａを消灯させた後、ユーザ操作が実行されると、第１ディスプレイ１０Ａを点灯させることができる。
【００４７】
次に、本発明のさらに別の好ましい実施形態を説明する。図６は、本例のＣＰＵ２の処理を示すフローチャートである。本例では、マウスポインタが第１ディスプレイ１０Ａに表示されていない状態が所定時間Ａ以上継続した場合に、第１ディスプレイ１０Ａのバックライト１４Ａの照度を低下させる代わりに、第１ディスプレイ１０Ａのバックライト１４Ａを消灯させることにより、第１ディスプレイ１０Ａの消費電力を低減する。
【００４８】
ＣＰＵ２は、マウスポインタが第１ディスプレイ１０Ａに表示されていないかを判断する（Ｓ４１）。つまり、第１ディスプレイ１０Ａ用の画像データにマウスポインタが合成されていないか否かが判断される。マウスポインタが第１ディスプレイ１０Ａに表示されていない場合（Ｓ４１でＹＥＳ）、ＣＰＵ２は、第１ディスプレイ１０Ａのバックライト１４Ａが点灯中であるか否かを判断する（Ｓ４２）。既に消灯中である場合には（Ｓ４２でＮＯ）、Ｓ４１に戻る。一方、点灯中である場合（Ｓ４２でＹＥＳ）、ＣＰＵ２は、第１タイマーのカウントを開始する（Ｓ４３）。第１タイマーは、特に限定されないがＣＰＵ２が内蔵するタイマーであり、マウスポインタが第１ディスプレイ１０Ａに表示されていない時間をカウントする。
【００４９】
ＣＰＵ２は、第１タイマーのカウントが所定時間Ａを経過したか否かを判断する（Ｓ４４）。未だ第１タイマーのカウントが所定時間Ａを経過していない場合（Ｓ４４でＮＯ）、Ｓ４１に戻る。これにより、マウスポインタが第１ディスプレイ１０Ａに表示されていない状態が継続されることにより、Ｓ４１〜Ｓ４４の処理が繰り返し実行され、第１タイマーのカウントが継続される。
【００５０】
第１タイマーのカウントが所定時間Ａを経過すると（Ｓ４４でＹＥＳ）、ＣＰＵ２は、第１ディスプレイ１０Ａのバックライト１４Ａを消灯させる（Ｓ４５）。つまり、ＣＰＵ２は、バックライト制御部１３Ａに、バックライト１４Ａを消灯させる指示を送信する。バックライト制御部１３Ａは、ＣＰＵ２からの指示に応答し、バックライト１４Ａを消灯させる。また、ＣＰＵ２は、第１タイマーのカウントを終了し、カウントをクリアする。以上のように、第１ディスプレイ１０Ａにマウスポインタが表示されていない状態が所定時間Ａ以上継続した場合に、第１ディスプレイ１０Ａのバックライト１４Ａを消灯させ、消費電力を低減させる。
【００５１】
Ｓ４１において、マウスポインタが第１ディスプレイ１０Ａに表示されると判断されると（Ｓ４１でＮＯ）、ＣＰＵ２は、第１タイマーをカウント中であるか否かを判断する（Ｓ４６）。第１タイマーをカウント中でなければ（Ｓ４６でＮＯ）、Ｓ４８に進む。一方、第１タイマーをカウント中であれば（Ｓ４６でＹＥＳ）、ＣＰＵ２は、第１タイマーのカウントを終了し、カウントをクリアする（Ｓ４７）。
【００５２】
続いて、ＣＰＵ２は、第１ディスプレイ１０Ａのバックライト１４Ａが消灯中であるか否かを判断する（Ｓ４８）。点灯中であれば（Ｓ４８でＮＯ）、Ｓ４１に戻る。一方、消灯中であれば（Ｓ４８でＹＥＳ）、ＣＰＵ２は、第１ディスプレイ１０Ａのバックライト１４Ａを点灯させる（Ｓ４９）。つまり、ＣＰＵ２は、バックライト制御部１３Ａに、バックライト１４Ａを点灯させる指示を送信する。バックライト制御部１３Ａは、ＣＰＵ２からの指示に応答し、バックライト１４Ａを点灯させる。以上のように、第１ディスプレイ１０Ａを消灯させた後、マウスポインタが第１ディスプレイ１０Ａに表示されると、第１ディスプレイ１０Ａを点灯させることができる。
【００５３】
次に本発明のさらに別の好ましい実施形態を説明する。図７は、本例のＣＰＵ２の処理を示すフローチャートである。本例では、マウスポインタが第１ディスプレイ１０Ａに表示されていない状態が所定時間Ａ以上継続した場合に第１ディスプレイ１０Ａの照度を第２照度に変更させた後、さらに、マウスポインタが第１ディスプレイ１０Ａに表示されていない状態が所定時間Ｃ以上継続した場合に、第１ディスプレイ１０Ａを低消費電力状態よりもさらに消費電力を低減させた第２低消費電力状態に移行させる。本例では、第２低消費電力状態は、第１ディスプレイ１０Ａのバックライト１４Ａを消灯させる状態（第１ディスプレイ１０Ａの非表示状態）である。
【００５４】
ＣＰＵ２は、マウスポインタが第１ディスプレイ１０Ａに表示されていないかを判断する（Ｓ５１）。つまり、第１ディスプレイ１０Ａ用の画像データにマウスポインタが合成されていないか否かが判断される。マウスポインタが第１ディスプレイ１０Ａに表示されていない場合（Ｓ５１でＹＥＳ）、ＣＰＵ２は、第１ディスプレイ１０Ａのバックライト１４Ａの照度が第１照度であるか否かを判断する（Ｓ５２）。既に第２照度になっている場合には（Ｓ５２でＮＯ）、Ｓ５６に進む。一方、第１照度である場合（Ｓ５２でＹＥＳ）、ＣＰＵ２は、第１タイマーのカウントを開始する（Ｓ５３）。第１タイマーは、特に限定されないがＣＰＵ２が内蔵するタイマーであり、マウスポインタが第１ディスプレイ１０Ａに表示されていない時間をカウントする。
【００５５】
ＣＰＵ２は、第１タイマーのカウントが所定時間Ａを経過したか否かを判断する（Ｓ５４）。未だ第１タイマーのカウントが所定時間Ａを経過していない場合（Ｓ５４でＮＯ）、Ｓ５１に戻る。これにより、マウスポインタが第１ディスプレイ１０Ａに表示されていない状態が継続されることにより、Ｓ５１〜Ｓ５４の処理が繰り返し実行され、第１タイマーのカウントが継続される。
【００５６】
第１タイマーのカウントが所定時間Ａを経過すると（Ｓ５４でＹＥＳ）、ＣＰＵ２は、第１ディスプレイ１０Ａのバックライト１４Ａの照度を、第１照度から第２照度に変更させる（Ｓ５５）。つまり、ＣＰＵ２は、バックライト制御部１３Ａに、バックライト１４Ａの照度を第２照度に変更する指示を送信する。バックライト制御部１３Ａは、ＣＰＵ２からの指示に応答し、バックライト１４Ａの照度を第２照度に変更させる。また、ＣＰＵ２は、第１タイマーのカウントを終了し、カウントをクリアする。以上のように、第１ディスプレイ１０Ａにマウスポインタが表示されていない状態が所定時間Ａ以上継続した場合に、第１ディスプレイ１０Ａの照度を第２照度に変更させ、消費電力を低減させる。
【００５７】
続いて、ＣＰＵ２は、第１ディスプレイ１０Ａが点灯中であるか否かを判断する（Ｓ５６）。消灯中である場合（Ｓ５６でＮＯ）、Ｓ５１に戻る。一方、点灯中である場合（Ｓ５６でＹＥＳ）、ＣＰＵ２は、第１タイマーを再度カウント開始させる（Ｓ５７）。ＣＰＵ２は、第１タイマーのカウントが所定時間Ｃを経過したか否かを判断する（Ｓ５８）。未だ第１タイマーのカウントが所定時間Ｃを経過していない場合（Ｓ５８でＮＯ）、Ｓ５１に戻る。これにより、マウスポインタが第１ディスプレイ１０Ａに表示されていない状態が継続されることにより、Ｓ５６〜Ｓ５８の処理が繰り返し実行され、第１タイマーのカウントが継続される。
【００５８】
第１タイマーのカウントが所定時間Ｃを経過すると（Ｓ５８でＹＥＳ）、ＣＰＵ２は、第１ディスプレイ１０Ａのバックライト１４Ａを消灯させる（Ｓ５９）。つまり、ＣＰＵ２は、バックライト制御部１３Ａに、バックライト１４Ａを消灯させる指示を送信する。バックライト制御部１３Ａは、ＣＰＵ２からの指示に応答し、バックライト１４Ａを消灯させる。また、ＣＰＵ２は、第１タイマーのカウントを終了し、カウントをクリアする。以上のように、第１ディスプレイ１０Ａの照度が第２照度に設定された後、マウスポインタが第１ディスプレイ１０Ａに表示されない状態が所定時間Ｃ以上継続した場合に、第１ディスプレイ１０Ａを消灯させることにより、消費電力をさらに低減させる。
【００５９】
Ｓ５１において、マウスポインタが第１ディスプレイ１０Ａに表示されると判断されると（Ｓ５１でＹＥＳ）、ＣＰＵ２は、第１タイマーをカウント中であるか否かを判断する（Ｓ６０）。第１タイマーをカウント中でなければ（Ｓ６０でＮＯ）、Ｓ６２に進む。一方、第１タイマーをカウント中であれば（Ｓ６０でＹＥＳ）、ＣＰＵ２は、第１タイマーのカウントを終了し、カウントをクリアする（Ｓ６１）。
【００６０】
続いて、ＣＰＵ２は、第１ディスプレイ１０Ａのバックライト１４Ａが消灯中であるか否かを判断する（Ｓ６２）。点灯中であれば（Ｓ６２でＮＯ）、Ｓ６４に進む。一方、消灯中であれば（Ｓ６２でＹＥＳ）、ＣＰＵ２は、第１ディスプレイ１０Ａのバックライト１４Ａを点灯させる（Ｓ６３）。つまり、ＣＰＵ２は、バックライト制御部１３Ａに、バックライト１４Ａを点灯させる指示を送信する。バックライト制御部１３Ａは、ＣＰＵ２からの指示に応答し、バックライト１４Ａを点灯させる。
【００６１】
続いて、ＣＰＵ２は、第１ディスプレイ１０Ａのバックライト１４Ａの照度が第２照度であるか否かを判断する（Ｓ６４）。第２照度でなければ（Ｓ６４でＮＯ）、Ｓ５１に戻る。一方、第２照度であれば（Ｓ６４でＹＥＳ）、ＣＰＵ２は、第１ディスプレイ１０Ａのバックライト１４Ａの照度を、第２照度から第１照度に復帰させる（Ｓ６５）。つまり、ＣＰＵ２は、バックライト制御部１３Ａに、バックライト１４Ａの照度を第１照度に復帰させる指示を送信する。バックライト制御部１３Ａは、ＣＰＵ２からの指示に応答し、バックライト１４Ａの照度を第１照度に復帰させる。
【００６２】
以上、本発明の好ましい実施形態を説明したが、本発明はこれらの実施形態には限定されない。例えば、図５および図７の実施例において、第２低消費電力状態は、第１ディスプレイ１０Ａの照度を第２照度よりも照度が低い第３照度に変更する状態でもよい。また、マウスポインタが第１ディスプレイに表示されなくなると直ぐに第１ディスプレイを低消費電力状態に移行させてもよい。また、第１ディスプレイのみが、マウスポインタが表示されていない場合に低消費電力状態に移行するものであり、第２ディスプレイは、マウスポインタが表示されていなくても通常状態を継続するものでもよく、またはその逆でもよい。また、マウスポインタの代わりにキーボードや他の入力装置によって移動可能であるカーソル等の表示アイコンがディスプレイに表示されていないかが判断されてよく、これらを総称して単にポインタと定義する。また、本発明は、ＰＣだけでなくＴＶ、カーナビ、携帯電話、ゲーム機、オーディオ等の電子機器にも適用され得る。また、ディスプレイはＬＣＤに限定されず、ＰＤＰや有機ＥＬ等でもよい。本発明は、上記の処理をコンピュータに実行させるコンピュータプログラムおよびそれが記録された記録媒体という形態で提供されてもよい。
【産業上の利用可能性】
【００６３】
本発明は、デスクトップＰＣやノートＰＣ等に好適に採用され得る。
【符号の説明】
【００６４】
１００          ＰＣ
２              ＣＰＵ
３              メモリ
４              ブリッジ
５              ＨＤＤ
６              マウス
７              キーボード
８              ビデオバッファ
９Ａ、９Ｂ      画像出力部
１０Ａ          第１ディスプレイ
１０Ｂ          第２ディスプレイ
１１Ａ、１１Ｂ  画像入力部
１２Ａ、１２Ｂ  液晶パネル
１３Ａ、１３Ｂ  バックライト制御部
１４Ａ、１４Ｂ  バックライト
【図１】
2011154209.tif 000003
【図２】
2011154209.tif 000004
【図３】
2011154209.tif 000005
【図４】
2011154209.tif 000006
【図５】
2011154209.tif 000007
【図６】
2011154209.tif 000008
【図７】
2011154209.tif 000009